(57)【要約】【課題】  フィルムサイズに対応して複数の写真フィルムホルダーを用意するのは費用がかかる。【解決手段】  板状に形成されて開口部分１１ｂ，１２ｂを有する本体板１０を備え、同開口部分１１ｂ，１２ｂで写真フィルムＦの撮影部位Ｓを視認可能に保持する写真フィルムホルダーであって、前記本体板１０は、前記開口部分１１ｂ，１２ｂを形成されて同開口部分１１ｂ，１２ｂから前記撮影部位Ｓが外部から視認可能な状態として前記写真フィルムＦを挟み込んで保持可能な第一板１１と第二板１２とを備え、前記第一板１１の前記開口部分１１ｂは、前記第二板１２の前記開口部分１２ｂよりも大きく、前記第二板１２は前記開口部分１２ｂの大きさが異なる複数のもののいずれかを前記第一１１板に対して脱着可能に取り付けられる構成としてある。【選択図】  図３
2015171061.tif 000002
【特許請求の範囲】
【請求項１】
開口部分を有する本体板を備え、同開口部分で写真フィルムの撮影部位を視認可能に保持する写真フィルムホルダーであって、
前記本体板は、前記開口部分を形成されて同開口部分から前記撮影部位が外部から視認可能な状態として前記写真フィルムを挟み込んで保持可能な第一板と第二板とを備え、
前記第一板の前記開口部分は、前記第二板の前記開口部分よりも大きく、
前記第二板は前記第一板に対して脱着可能に取り付けられることを特徴とする写真フィルムホルダー。
【請求項２】
前記第一板の前記開口部分にはアンチニュートンリング板を装着してあることを特徴とする請求項１に記載の写真フィルムホルダー。
【請求項３】
前記第一板には、前記写真フィルムの縁部を前記開口部分の縁部に押し当てて保持する板バネが備えられていることを特徴とする請求項２に記載の写真フィルムホルダー。
【請求項４】
前記第一板の前記開口部分の縁部と前記透光板とがなす交差角度が１８０度よりも小さくした傾斜を備えており、前記写真フィルムの縁部を前記開口部分における傾斜を有する縁部に押し当てて挟持することを特徴とする請求項３に記載の写真フィルムホルダー。
【請求項５】
前記板バネは、前記写真フィルムの縁部を前記開口部分における傾斜を有する縁部に押し当てて挟持することを特徴とする請求項４に記載の写真フィルムホルダー。
【請求項６】
前記第二板には、前記写真フィルムの縁部を前記第一板における前記開口部分の縁部に押し当てさせる突片が備えられていることを特徴とする請求項４に記載の写真フィルムホルダー。
【請求項７】
前記第二板には、前記開口部分の形状に対応する印を形成してあることを特徴とする請求項１〜請求項６のいずれかに記載の写真フィルムホルダー。
【請求項８】
前記第二板の前記印は、透光性を有する貫通穴を備え、前記第一板における前記第二板の前記印に対応する部分は前記印を遮らないようにする窓が形成されている
ことを特徴とする請求項７に記載の写真フィルムホルダー。
【発明の詳細な説明】
【技術分野】
【０００１】
本発明は、写真フィルムホルダーに関し、特に、フィルムスキャンを行う際に写真フィルムを固定する写真フィルムホルダーに関する。
【背景技術】
【０００２】
フィルムスキャンを行う際に、写真フィルムを固定して読み込むようにする写真フィルムホルダーが利用されている。
このような写真フィルムホルダーとして特許文献１に示すものが知られている。
【先行技術文献】
【特許文献】
【０００３】
【特許文献１】特許第４６５５５４６号公報
【発明の概要】
【発明が解決しようとする課題】
【０００４】
通常、写真フィルムホルダーは、４ｘ５、ブローニー、３５ｍｍネガなど、異なるフィルムサイズに応じて専用のものを用意しなければならない。しかし、異なるフィルムサイズに対応して複数の写真フィルムホルダーを用意するのは費用がかかる。
【課題を解決するための手段】
【０００５】
本発明は、概略板状に形成されて開口部分を有する本体板を備え、同開口部分で写真フィルムの撮影部位を視認可能に保持する写真フィルムホルダーであって、前記本体板は、前記開口部分を形成されて同開口部分から前記撮影部位が外部から視認可能な状態として前記写真フィルムを挟み込んで保持可能な第一板と第二板とを備え、前記第一板の前記開口部分は、前記第二板の前記開口部分よりも大きく、前記第二板は前記開口部分の大きさが異なる複数のもののいずれかを前記第一板に対して脱着可能に取り付けられる構成としてある。なお、開口とは、光を遮る領域中の光を透過する領域を意味する。ただし、光を透過する領域の全周に光を遮る領域がある必要はなく、光を遮る領域の外側とつながっていてもよい。
【０００６】
前記構成において、本体板は概略板状に形成されて開口部分を有しており、同開口部分で写真フィルムの撮影部位を視認可能な状態として同写真フィルムを保持する。写真フィルムは第一板と第二板とによって挟み込んで保持されるが、第一板の前記開口部分は、第二板の前記開口部分よりも大きい。第二板は開口部分の大きさが異なる複数のものが用意され、そのいずれかを第一板に対して脱着可能に取り付ける。
【０００７】
大きめの開口部分の第一板に対して、異なるサイズの開口部分を有する脱着可能な第二板を取り付ける。異なるサイズとするのは異なる写真フィルムのサイズに対応するためである。ＡＮＲ板を使用する場合は第一板にのみ必要であり、複数のサイズに対応する場合でも必要となるのは一枚だけである。
複数備える第二板は開口部分だけを有しており、傷が付いたりゴミが付着することもない。
【発明の効果】
【０００８】
本発明によれば、写真フィルムのサイズ毎に専用とした個別の写真フィルムホルダーを用意することがなくなり、要部を共通とした一種類の写真フィルムホルダーだけで、異なるサイズの写真フィルムをセットして読み取り可能な写真フィルムホルダーを提供できる。
特に、高価なアンチニュートンリング板を使用する場合には、アンチニュートンリング板は一枚で済む。
【図面の簡単な説明】
【０００９】
【図１】写真フィルムホルダーの斜視図である。
【図２】写真フィルムホルダーの脱着機構の支軸の平面図である。
【図３】写真フィルムホルダーの平面図である。
【図４】写真フィルムホルダーのＡ−Ａ線断面図である。
【図５】変形例にかかる写真フィルムホルダーのＡ−Ａ線断面図である。
【図６】可動蓋と基板の部分拡大断面図である。
【図７】可動蓋の概略断面図である。
【発明を実施するための形態】
【００１０】
以下、図面にもとづいて本発明の実施形態を説明する。
図１は、写真フィルムホルダーを斜視図により示している。
同図において、本体板１０は、基板（ベースホルダ）１１と可動蓋（フィルムカバー）１２とを備えている。基板１１の上面側には、可動蓋１２が概ね面一となるようには概略矩形の凹部１１ａを形成してある。可動蓋１２は凹部１１ａにおける短辺の側の両端には、脱着可能かつ枢動可能に支持されるためのヒンジ片１２ｆＬ，１２ｆＲを有している。ヒンジ片１２ｆＬ，１２ｆＲは互いに軸芯が一致する円筒状に形成されており、基板１１の側でこのヒンジ片１２ｆＬ，１２ｆＲが入り込めるように形成したヒンジ穴１１ｆＬ，１１ｆＲの側には前記ヒンジ片１２ｆＬ，１２ｆＲの円筒内に入り込んで係止可能なピン１１ｇＬ，１１ｇＲが形成されている。ピン１１ｇＬ，１１ｇＲはヒンジ穴１１ｆＬ，１１ｆＲの内側で外側の壁面から内側に向けて同一軸芯上に互いに突出している。なお、ヒンジ片１２ｆＬ，１２ｆＲとヒンジ穴１１ｆＬ，１１ｆＲとピン１１ｇＬ，１１ｇＲとで脱着機構（ヒンジ機構）の主要部分を構成している。なお、ヒンジ片１２ｆＬ，１２ｆＲは円筒でなくても、少なくとも外側からピン１１ｇＬ，１１ｇＲを挿入できる穴を形成してあればよい。
【００１１】
図２は、写真フィルムホルダーの脱着機構（ヒンジ機構）の支軸を平面図により示している。
ピン１１ｇＲは操作子１１ｈを操作して内外に移動可能となっており、通常時は、図２の（ａ）に示すように、図示しないバネによってヒンジ穴１１ｆＲに突出するように付勢されている。しかし、操作子１１ｈを操作することで図２の（ｂ）に示すように同バネに抗してピン１１ｇＲをヒンジ穴１１ｇＲから待避させた状態へ移動させることができる。
【００１２】
当初、可動蓋１２は基板１１から離れており、そのままではヒンジ穴１１ｆＬ，１１ｆＲに円筒状のヒンジ片１２ｆＬ，１２ｆＲを挿入しようとしてもピン１１ｇＬ，１１ｇＲと干渉して挿入することはできない。しかし、円筒状としたヒンジ片１２ｆＬの外側の穴をピン１１ｇＬの先端に位置合わせし、ピン１１ｇＬに沿って滑らせるように同ピン１１ｇＬをヒンジ片１２ｆＬの中へと挿入していき、さらに、操作子１１ｈを操作してピン１１ｇＲをヒンジ穴１１ｇＲから待避させた状態でヒンジ片１１ｆＲをヒンジ穴１１ｇＲに挿入する。このとき、ピン１１ｇＲはヒンジ穴１１ｇＲから待避されているのでヒンジ片１１ｆＲと干渉しない。最後に、操作子１１ｈを操作してピン１１ｇＲをヒンジ穴１１ｇＲの側へと押し出してくると、円筒状のヒンジ片１２ｇＲの外側から内部へと進入していくる。
【００１３】
ヒンジ片１２ｆＬ，１２ｆＲの外側の幅はヒンジ穴１１ｆＬ，１１ｆＲの外側の幅とほぼ一致しており、ヒンジ片１２ｆＬ，１２ｆＲがヒンジ穴１１ｆＬ，１１ｆＲ内に入り込むと左右には移動できないし、かつ、ヒンジ穴１１ｆＬ，１１ｆＲの内部でピン１１ｇＬ，１１ｇＲが入り込んで回転軸心となっているので、同ヒンジ片１２ｆＬ，１２ｆＲの中心を回転軸心として可動蓋１２は枢動可能に支持されている。
【００１４】
一方、操作子１１ｈを操作して、ピン１１ｇＲをヒンジ穴１１ｇＲから待避させると、少なくともヒンジ片１２ｆＲの側がヒンジ穴１１ｇＲから上方へ抜け出ることが可能となり、さらに右方へとスライドさせるとヒンジ片１２ｆＬもピン１１ｇＬから抜け出てヒンジ穴１１ｇＲから取り出せるようになる。このようにするためにも、ヒンジ穴１１ｆＬ，１１ｆＲはヒンジ片１２ｆＬ，１２ｆＲよりも、少なくとも内側において、大きめに形成しておくことが好ましい。また、ピン１１ｇＬ，１１ｇＲに相当するものを可動蓋１２の側に形成し、基板１１の側に穴を形成しておくことも可能である。さらに、ピンと穴の係合以外でも回転可能かつ脱着可能な係合機構としても良い。
【００１５】
このように、可動蓋１２のヒンジ片１２ｆＬ，１２ｆＲと、基板１１のヒンジ穴１１ｆＬ，１１ｆＲとピン１１ｇＬ，１１ｇＲと操作子１１ｈとにより、可動蓋１２を基板１１に対して脱着可能に取り付けている。
この基板１１と可動蓋１２とが第一板と第二板とを構成し、両者で概略板状の本体板１０を形成している。ここで、基板１１と可動蓋１２のいずれが第一板と第二板に対応していても構わないし、いずれが上でいずれが下であるかも問わない。
【００１６】
基板１１と可動蓋１２には、それぞれ対応する位置に長四角の開口部分１１ｂ，１２ｂを形成されている。基板１１の側の開口部分１１ｂにはアンチニュートンリング板１３がはめ込まれており、可動蓋１２の側の開口部分１２ｂは何も装着されていない。開口部分１１ｂは基板１１の側では基板１１に対してできるだけ大きく形成してある。アンチニュートンリング板（以下、ＡＮＲ板とも呼ぶ）１３は、透光板としての性質を有しており、また、写真フィルムＦが面状に接触してもニュートンリングが表れないようにする表面加工が施されている。
フィルムスキャンを行う際に写真フィルムを固定する写真フィルムホルダーは、写真フィルムの全域に焦点を合わせるため、写真フィルムのソリを矯正するようにガラスもしくは樹脂製の透明板に写真フィルムを押しつけて保持する必要がある。一方、写真フィルムと同透明板とが密着した際に、ニュートンリングを発生させないための加工を施したアンチニュートンリング板を使用している。
しかし、ＡＮＲ板は高価なため、フィルムサイズ毎にフィルムホルダーを用意しなければならないとすると、自ずからフィルムホルダーは高価になる。
これに対し、本実施例では、以下に示すようにＡＮＲ板を有する基板１１はフィルムサイズにかかわらず共通であるので、ＡＮＲ板は一枚で済むため、全体として安価にすることができる。
また、樹脂製の透明板であると、その性質上、常にキズやゴミなどに留意しなければならない。このため、複数個を用意しておかなければならないと、使用していないものの保管に気を付けなければならず面倒である。
この点についても、樹脂製の透明板が一枚で済むため、保管の観点でも好都合である。
【００１７】
図３は、写真フィルムホルダーを平面図により示している。
可動蓋１２の側の開口部分１２ｂは、写真フィルムのサイズに対応しており、図３の（ｂ）と（ｃ）に示すように、複数の写真フィルムが存在するのに合わせて複数の可動蓋１２を用意する。同図（ｂ）は４ｘ５版写真フィルムに対応しており、同図（ｃ）はブローニ版写真フィルムに対応している。写真フィルムＦの撮影部位Ｓが開口部分１２ｂを介して外部から視認可能なようにしている。なお、スキャン時は、基板１１のアンチニュートンリング板１３の側から照明光を照射し、可動蓋１２の側からラインセンサーなどの撮像素子で撮像するのが好ましい。
【００１８】
基板１１の開口部分１１ｂは、二つの長辺と二つの短辺とを有しており、一方の長辺の外側部分に位置決め用の突片１１ｊとクリップ１１ｋを設けてある。突片１１ｊとクリップ１１ｋは三つずつ形成されており、突片１１ｊは平面視で短冊状の長四角形状となっており、前記凹部１１ａから写真フィルムＦよりも十分に厚い長さだけ隆起している。このため、写真フィルムＦをアンチニュートンリング板１３の側から滑らせるようにして突片１１ｊに近接させ、押し当てることで開口部分１１ｂに対して写真フィルムＦを平行に位置合わせすることができる。位置合わせのための隆起であるので、その形状は特に限定されるものではない。
【００１９】
クリップ１１ｋは、短冊状の突片１１ｊの長辺と短辺とを回り込むように平面視でＬ字形となるように薄いステンレス板で形成され、板バネを構成している。そして、長辺の側の端部を凹部１１ａの底面から突出している突起１１ａ１にて位置合わせしつつ同突起１１ａ１にてかしめ固定されている。Ｌ字型に回り込むようにしているのは反対の端部までの距離を稼ぐことでバネ片としてのしなやかさを確保するためである。反対の端部はアンチニュートンリング板１３の縁部に達しており、かつ、先端をアンチニュートンリング板１３から離反するようにわずかに屈曲されている。
【００２０】
図４は、写真フィルムホルダーをＡ−Ａ線断面図により示している。
クリップ１１ｋの先端を屈曲することでフィルムＦの端部をクリップ１１ｋの先端とアンチニュートンリング板１３との間に滑らかに挿入させることができ、かつ、バネ片としてのクリップ１１ｋによって写真フィルムＦはアンチニュートンリング板１３によって押しつけられ、その位置で保持されることができる。
【００２１】
クリップ１１ｋの先端はアンチニュートンリング板１３に当接している。しかし、アンチニュートンリング板１３の縁部は基板１１の開口部分１１ｂの縁部に載置されているので、クリップ１１ｋは写真フィルムの縁部を開口部分１１ｂの縁部に押し当てて保持しているといえる。クリップ１１ｋは本来は開口部分１１ｂに入らない方が好ましい。スキャンの際に撮影されるためである。しかし、撮影部位Ｓに影響のない範囲で開口部分１１ｂに入ることは構わない。
【００２２】
クリップ１１ｋはＬ字型以外の形状でも可能であるが、Ｌ字型とすることで開口部分１１ｂからあまり離れない位置に保持しつつ、長さを確保できる。従って、Ｌ字型としない場合に比べて凹部１１ａを小さくできるという効果もある。
【００２３】
図５は、変形例にかかる写真フィルムホルダーをＡ−Ａ線断面図により示している。
図４に示す例では、アンチニュートンリング板１３は、その表面を凹部１１ａと面一になるように配置されている。しかし、図５に示す例では、開口部分１１ｂの周縁をすり鉢状としてあり、開口部分１１ｂと凹部１１ａの底面との間に傾斜面１１ｍを形成している。そして、アンチニュートンリング板１３の表面は、この傾斜面１１ｍの縁部に接するようにしている。この結果、開口部分１１ｂの縁部の傾斜面１１ｍと透光板としてのアンチニュートンリング板１３とがなす交差角度は１８０度よりも小さくした傾斜を備えていることになる。
【００２４】
このように構成した場合、写真フィルムＦをアンチニュートンリング板１３の上に置き、上述したように突片１１ｊに向けて滑らせていくと、写真フィルムＦの縁部は開口部分１１ｂの縁部の傾斜面１１ｍ上を滑り上がり、先にクリップ１１ｋの下に滑り込んだ後、突片１１ｊに当接する。このとき写真フィルムＦは、その端部を傾斜面１１ｍによって上方に押し曲げられる結果、撮影部位Ｓの側がアンチニュートンリング板１３に向けて押し当てられるようになり、写真の反りを抑えて撮影部位Ｓの全面がアンチニュートンリング板１３にあたるのでスキャン時に焦点が揃いやすくなる。
【００２５】
基板１１の凹部１１ａの一部であって開口部分１１ｂの短辺の外側には、窓１１ｎを形成してある。窓１１ｎは貫通している。可動蓋１２を基板１１に装着したときに同窓１１ｎに相当する部分には、印を構成する複数の貫通穴１２ｎを形成してある。貫通穴１２ｎの配置は可動蓋１２が対応している写真フィルムのサイズに対応している。図３（ｂ）に示す例では、貫通穴１２ｎは小さな三つの丸穴が一列に並んでいる。これは４ｘ５版写真フィルムに対応した可動蓋１２であることを示している。一方、図３（ｃ）に示す例では、貫通穴１２ｎは小さな三つの丸穴を三角形のように配置させている。これはブローニ版写真フィルムに対応した可動蓋１２であることを示している。図示していないが、３５ｍｍネガ写真フィルムにも、同様に対応させて別の配置にすればよい。
【００２６】
上述したように基板１１の裏側から照明光を照射すると、窓１１ｎによって同照明光は遮られないで可動蓋１２に照射され、貫通穴１２ｎを介して撮像素子まで到達する。撮像素子の側では画像データに基づいて貫通穴１２ｎの配置を検知し、可動蓋１２が対応している写真フィルムのサイズを検知できる。
このような印としては、貫通穴１２ｎに限定されず、例えば印字した文字などであっても良い。しかし、透光性を有する穴によって基板１１の側から照射される照明光を利用すると、可動蓋１２の側に位置する撮像素子で検知しやすいメリットがある。
【００２７】
図６は、可動蓋と基板を部分拡大断面図により示している。
上述したように、可動蓋１２は、基板１１に対して、脱着機構を介して脱着可能かつ回転可能に係合する。このままでも良いが、可動蓋１２を基板１１に対して閉じたとき、その状態を維持できるのも好ましい。このため、図６に示すように、基板１１における凹部１１ａの底面から係合ピン１１ｐを直立させて形成し、可動蓋１２の側にはこの係合ピン１１ｐに対応する位置に係合穴１２ｐを形成してある。係合ピン１１ｐの先端は断面形状としてやや側方に膨らみ部分１１ｐ１を形成してあり、この膨らみ部分１１ｐ１で係合穴１２ｐにおける開口縁部に係合できるようにしてある。閉じた状態を維持できるようにしつつも、開閉が可能なように膨らみ部分１１ｐ１の角は鋭利にさせず、丸みを持たせるようにしている。
【００２８】
図７は、可動蓋を概略断面図により示している。
写真フィルムＦは基板１１のクリップ１１ｋで保持されている。しかし、可動蓋１２を閉じたときに可動蓋１２によっても保持を補助するようにしても良い。例えば、図７に示すように、可動蓋１２における開口部分１２ｂの周縁であって基板１１に面する側には、押さえのための突起１２ｑを形成しておいてもよい。このようしておくと、可動蓋１２を閉じたときに写真フィルムＦの周縁をアンチニュートンリング板１３の側に押しつけ、保持を補助することができる。このような突起１２ｑを開口部分１２ｂの全周にわたって形成することで、平面度を高めることもできる。また、突起１２ｑの材質として弾性素材としたり、形状として弾性を有するものとし、可動蓋１２を閉じたときにしっかりと写真フィルムＦを保持できるようにしてもよい。
【００２９】
本体板１０は一方の短辺の側には長手方向に向けて幅方向に広がる切り欠き部分１１ｃを形成されている。この切り欠き部分１１ｃは本体板１０を切り欠いて形成されているので途中に遮るものは何もなく、図示しないスキャナーにセットされたときに光源からの照射光は当該切り欠き部分１１ｃを通過して反対側に対峙しているライン状のセンサーに到達する。この照射光は全てのセンサーに対して均等に到達しているので、センサーの出力のキャリブレーションに利用することができる。
また、本体板１０の一方の長辺の側には、二カ所に平たい突起１１ｄ，１１ｄが形成されている。この突起１１ｄ，１１ｄにより、本体板１０が表を向いているのか裏を向いているのかが一瞥して理解できるようになっている。
【００３０】
前記構成において、例えば、４ｘ５版写真フィルムをスキャンしたい場合、上述したように脱着機構を利用して４ｘ５版写真フィルムに対応した可動蓋１２を取り付ける。可動蓋１２を基板１１から開いた状態とし、４ｘ５版の写真フィルムＦをアンチニュートンリング板１３上に載置し、突片１１ｊの側に向けてスライドさせていく。写真フィルムＦが突片１１ｊに当接する手前で写真フィルムＦの縁部がクリップ１１ｋの下に入り込み、さらに進んで突片１１ｊに当接する。４ｘ５版の写真フィルムの場合、三つ用意してある突片１１ｊのうち、二つの突片１１ｊに当接することで、開口部分１１ｂにおける長辺とほぼ平行な位置に位置決めされる。なお、図５に示すように傾斜面１１ｍが形成されている場合は、写真フィルムＦの縁部を上に押し上げつつクリップ１１ｋでアンチニュートンリング板１３に押しつけるので、写真フィルムＦは全体的にアンチニュートンリング板１３に押しつけられ、平面度が高められる。その後、可動蓋１２を基板１１に対して閉じるように枢動動作させることで写真フィルムＦを挟み込んだ状態で保持させ、本体板１０が概ねフラットになった状態でスキャナーにセットする。
【００３１】
（その他の変形例）
上述した実施例においては、可動蓋１２の開口部分１２ｂは写真フィルムのサイズに対応した固定的なものであった。しかし、可動蓋１２の開口部分１２ｂを調整可能なものとしてもよい。例えば、一部を開閉して調整することができるようにしたり、開口部分１２ｂにアタッチメントを備えても良い。また、開口部分１２ｂ内に液晶板が配置し、同液晶板に簡易的な文字を表示させることで、写真フィルムＦの撮影部位Ｓとともに同液晶板の文字を撮像させるようにしてもよい。このようにすると、多数の写真フィルムＦを一度にスキャンさせるときに混乱しないようにすることができる。また、窓１１ｎと開口部分１１ｂとがつながって一体の穴となっていてもよいし、どちらか、又は、どちらもが、外部とつながっていてもよい。また、本明細書で板という語を用いているが、平板に限られず、表面に凹凸を有していたり、穴が形成されていたりしてもよい。前記実施例では、アンチニュートンリング板１３が基板１１に設けられフィルムサイズによらずフィルムスキャンに用いられるものとしていたが、可動蓋１２側に設けられていたり、そもそもアンチニュートンリング板１３を有していなかったりしてもよい。これらの場合でも、基板１１をフィルムサイズごとに用意をしなくてもよいので、アンチニュートンリング板１３を用いる基板を複数用意しないですませる場合ほどではないが、費用を節約することができる。
【００３２】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３３】
１０…本体板、１１…基板（ベースホルダ）、１１ａ…凹部、１１ａ１…突起、１１ｂ…開口部分、１１ｆＬ，１１ｆＲ…ヒンジ穴、１１ｇＬ，１１ｇＲ…ピン、１１ｈ…操作子、１１ｊ…突片、１１ｋ…クリップ、１１ｍ…傾斜面、１１ｎ…窓、１１ｐ…係合ピン、１１ｐ１…膨らみ部分、１２…可動蓋（フィルムカバー）、１２ｂ…開口部分、１２ｆＬ，１２ｆＲ…ヒンジ片、１２ｎ…貫通穴、１２ｐ…係合穴、１２ｑ…突起、１３…アンチニュートンリング板。
【図１】
2015171061.tif 000003
【図２】
2015171061.tif 000004
【図３】
2015171061.tif 000005
【図４】
2015171061.tif 000006
【図５】
2015171061.tif 000007
【図６】
2015171061.tif 000008
【図７】
2015171061.tif 000009